(57)【要約】【課題】印刷方式の自由度が高く且つ表面の一部にレンチキュラーレンズを備える印刷物を効率的に製造する方法を提供する。【解決手段】本発明に係るレンチキュラーレンズ付き印刷物の製造方法は以下の工程を備える。（ａ）表示すべき絵柄を裏面側に有するレンチキュラーレンズを準備する工程。（ｂ）上記レンチキュラーレンズよりもサイズが大きい印刷物を作製する工程。（ｃ）上記レンチキュラーレンズを印刷物の表面に貼り付ける工程。【選択図】図４
2016126059.tif 000002
【特許請求の範囲】
【請求項１】
（ａ）表示すべき絵柄を裏面側に有するレンチキュラーレンズを準備する工程と、
（ｂ）前記レンチキュラーレンズよりもサイズが大きい印刷物を作製する工程と、
（ｃ）前記レンチキュラーレンズを前記印刷物の表面に貼り付ける工程と、
を備えるレンチキュラーレンズ付き印刷物の製造方法。
【請求項２】
前記レンチキュラーレンズは、前記絵柄の裏面側に形成された白色インク層を更に有する、請求項１に記載の製造方法。
【請求項３】
前記印刷物は、前記レンチキュラーレンズが貼り付けられる領域の少なくとも一部が白色である、請求項１又は２に記載の製造方法。
【請求項４】
前記印刷物は、前記レンチキュラーレンズが貼り付けられる領域に絵柄の重ね部分を有し、当該領域における前記絵柄の重ね部分以外の領域が白色である、請求項３に記載の製造方法。
【請求項５】
前記印刷物は、前記レンチキュラーレンズが貼り付けられる領域に凹部を有する、請求項１〜４のいずれか一項に記載の製造方法。
【請求項６】
表示すべき絵柄を裏面側に有するレンチキュラーレンズと、
前記レンチキュラーレンズよりもサイズが大きい印刷物と、
を備え、
前記レンチキュラーレンズは前記印刷物の表面に貼り付けられている、レンチキュラーレンズ付き印刷物。
【請求項７】
請求項１〜５のいずれか一項に記載の製造方法によって製造されたレンチキュラーレンズ付き印刷物が展示されており、当該レンチキュラーレンズ付き印刷物に沿って延びる通路を備える展示通路。
【発明の詳細な説明】
【技術分野】
【０００１】
本発明は、レンチキュラーレンズ付き印刷物及びその製造方法、並びに展示通路に関する。
【背景技術】
【０００２】
シート状のレンチキュラーレンズを利用することにより、印刷物の面の一部に立体画像又は形状変化画像を表示させる技術が知られている。特許文献１は、レンチキュラーレンズをシルクスクリーン印刷インキの印刷によって形成すること、立体画像又は形状変化画像のための絵柄をオフセット印刷で形成することを開示する。
【先行技術文献】
【特許文献】
【０００３】
【特許文献１】特開２００６−１１５３号公報
【発明の概要】
【発明が解決しようとする課題】
【０００４】
ところで、通常、作製すべき印刷物の枚数及びサイズ、並びに印刷画素数などに応じて適した印刷方式が選択される。例えば、大量に作製される印刷物の場合はオフセット印刷が適しており、逆に一点物又は少量の印刷物の場合は他の印刷方式（例えばインクジェット）が適している。特許文献１に記載の印刷物は印刷方式に制限がある点において改善の余地があった。
【０００５】
本発明は、印刷方式の自由度が高く且つ表面の一部にレンチキュラーレンズを備える印刷物を効率的に製造する方法、並びに、レンチキュラーレンズ付き印刷物及びこれを利用した展示通路を提供することを目的とする。
【課題を解決するための手段】
【０００６】
本発明に係るレンチキュラーレンズ付き印刷物の製造方法は以下の工程を備える。
（ａ）表示すべき絵柄を裏面側に有するレンチキュラーレンズを準備する工程。
（ｂ）上記レンチキュラーレンズよりもサイズが大きい印刷物を作製する工程。
（ｃ）上記レンチキュラーレンズを上記印刷物の表面に貼り付ける工程。
【０００７】
上記製造方法によれば、表面の一部にレンチキュラーレンズを備える印刷物を効率的に製造できる。すなわち、上記製造方法によれば、（ａ）工程で準備したレンチキュラーレンズ（以下「絵柄付きレンチキュラーレンズ」という。）を（ｂ）工程で作製した印刷物に対して貼り付けること（（ｃ）工程）によってレンチキュラーレンズ付き印刷物が製造される。これに加え、上記製造方法によれば、製造すべき当該印刷物の枚数及び使用目的などに応じ、例えばレンチキュラーレンズの裏面に絵柄を印刷する方式、並びに、レンチキュラーレンズが貼り合される印刷物を印刷する方式を適宜することができる。つまり、上記製造方法においては印刷方式の自由度が高いという利点がある。
【０００８】
絵柄付きレンチキュラーレンズを印刷物に貼り付けた後において、当該レンチキュラーレンズの絵柄の色調と、印刷物の絵柄の色調とがなるべく一致するように、以下の構成の一つ又は複数を組み合わせて採用することが好ましい。
（１）絵柄付きレンチキュラーレンズが絵柄の裏面側に形成された白色インク層を更に有する。
（２）（ｂ）工程で作製する印刷物は、レンチキュラーレンズが貼り付けられる領域の少なくとも一部が白色である。
（３）（ｂ）工程で作製する印刷物は、レンチキュラーレンズが貼り付けられる領域に絵柄の重ね部分を有し、当該領域における絵柄の重ね部分以外の領域が白色である。
【０００９】
（ｂ）工程で作製する印刷物は、レンチキュラーレンズが貼り付けられる領域に凹部を有してもよい。印刷物の表面とレンチキュラーレンズの表面との段差が気になるような場合、例えば、レンチキュラーの厚さに応じた深さの凹部を印刷物に設け、そこにレンチキュラーレンズを貼り付ければよい。
【００１０】
本発明に係るレンチキュラーレンズ付き印刷物は上記製造方法によって製造されたものである。すなわち、本発明に係るレンチキュラーレンズ付き印刷物は、表示すべき絵柄を裏面側に有するレンチキュラーレンズと、このレンチキュラーレンズよりもサイズが大きい印刷物とを備え、上記レンチキュラーレンズは上記印刷物の表面に貼り付けられている。
【００１１】
本発明に係る展示通路は、上記製造方法によって製造されたレンチキュラーレンズ付き印刷物が展示されており、当該レンチキュラーレンズ付き印刷物に沿って延びる通路を備える。例えば、視点距離（印刷物と見学者との距離（通路の幅））及び視野角度などに応じてレンチキュラーレンズのピッチを適宜選択することで、見学者が通路を進むと動物がパッと現れるというような演出を実現できる（図２，３参照）。
【発明の効果】
【００１２】
本発明によれば、印刷方式の自由度が高く且つ表面の一部にレンチキュラーレンズを備える印刷物を効率的に製造する方法、並びに、レンチキュラーレンズ付き印刷物及びこれを利用した展示通路が提供される。
【図面の簡単な説明】
【００１３】
【図１】本発明に係る展示通路の一実施形態を模式的に示す斜視図である。
【図２】（ａ）は見学者にとってキツネの絵柄が見えていない状態を示す模式図であり、（ｂ）は見学者の前にキツネの絵柄が現れた状態を示す模式図であり、（ｃ）は見学者にとってキツネの絵柄が消えた状態を示す模式図である。
【図３】（ａ）〜（ｃ）は図２（ａ）〜（ｃ）のそれぞれの位置にいる見学者から見えるパネルの様子を示す模式図である。
【図４】図１に示す展示通路が有するパネル（レンチキュラーレンズ付き印刷物）を示す正面図である。
【図５】レンチキュラーレンズを貼り付ける前のパネルの一例を模式的に示す正面図である。
【図６】図５に一点鎖線で示す四角の位置にレンチキュラーレンズを貼り付けた状態を模式的に示す正面図である。
【図７】図６に示すＶＩＩ−ＶＩＩ線における断面図である。
【図８】絵柄付きレンチキュラーレンズを製造する過程を模式的に示す断面図である。
【発明を実施するための形態】
【００１４】
本発明の実施形態を、図面を参照しながら以下に説明する。ただし、以下の実施形態は、本発明を説明するための例示であり、本発明を以下の内容に限定する趣旨ではない。説明において、同一要素又は同一機能を有する要素には同一符号を用い、場合により重複する説明は省略する。また、上下左右等の位置関係は、特に断らない限り、図面に示す位置関係に基づくものとする。更に、図面の寸法比率は図示の比率に限られるものではない。
【００１５】
＜展示通路＞
図１は、本実施形態に係る展示通路を模式的に示す斜視図である。この図に示す展示通路５０は、レンチキュラーレンズ付きパネル（レンチキュラーレンズ付き印刷物）１０と、このパネル１０に沿って延びる通路２０とを備える。レンチキュラーレンズ付きパネル１０は、白樺の森と、この森の中に暮らす動物達の絵柄（図１の右からトナカイの絵柄Ｒ、キツネの絵柄Ｆ、キツツキの絵柄Ｐ及び鹿の絵柄Ｄ）を有する。
【００１６】
展示通路５０は、図２，３においてキツネの絵柄Ｆを例に示したとおり、見学者Ｓが通路２０を進むにつれて動物達が現れたり、消えたりする演出がなされている。通路２０を右側から左側に進む見学者Ｓにとって、図２（ａ）はキツネが見えていない状態を示し、図２（ｂ）はキツネが現れた状態を示し、（ｃ）はキツネが再び見えなくなった状態を示す。図３（ａ）〜（ｃ）は図２（ａ）〜（ｃ）のそれぞれの位置にいる見学者Ｓから見えるパネル１０（キツネの周辺）の様子を示す。
【００１７】
＜レンチキュラーレンズ付きパネル＞
図４は、レンチキュラーレンズ付きパネル１０を示す正面図である。この図に示すとおり、パネル１０の表面の一部の領域（トナカイの絵柄Ｒ、キツネの絵柄Ｆ、キツツキの絵柄Ｐ及び鹿の絵柄Ｄをそれぞれ含む領域）がレンチキュラーレンズ５Ｒ，５Ｆ，５Ｐ，５Ｄによってそれぞれ構成されている。パネル１０は、白樺の森の絵柄が印刷されたパネル（印刷物）１０Ａと、パネル１０Ａの表面に貼り付けられたレンチキュラーレンズ５Ｒ，５Ｆ，５Ｐ，５Ｄとを備える。パネル１０Ａと、レンチキュラーレンズ５Ｒ，５Ｆ，５Ｐ，５Ｄとによって一連の絵柄が構成されている。
【００１８】
図５は、白樺の森の絵柄が印刷されたパネル１０Ａの一部を表した正面図であって、キツネ用のレンチキュラーレンズ５Ｆを貼り付ける前の状態を示す図である。図５において一点鎖線で示す四角１２Ｆは、キツネ用のレンチキュラーレンズ５Ｆが貼り付けられる領域１５Ｆを示す。他方、図５において実線の四角で囲われた領域Ｗは、パネル１０Ａにおける白色の領域である。レンチキュラーレンズ５Ｆが貼り付けられる領域１５Ｆの少なくとも一部を白色とすることで、レンチキュラーレンズ５Ｆをパネル１０Ａに貼り付けた後において、レンチキュラーレンズ５Ｆの絵柄の色調と、パネル１０Ａに印刷物に貼り付けられた絵柄の色調と近づけることができる。例えば、領域Ｗを白色ではなく、レンチキュラーレンズ５Ｆと同様の絵柄、すなわちキツネを含む絵柄を領域Ｗに印刷した場合、この上にレンチキュラーレンズ５Ｆを貼り付けると、この領域に同じ絵柄が重なることになる。これにより、同じ絵柄が重っている領域だけ、パネル１０の他の領域と比較して絵柄がやや暗く見える場合がある。
【００１９】
図５に示すように、白色の領域Ｗは一点鎖線の四角１２Ｆよりも一回り小さく形成されている。すなわち、パネル１０Ａは、レンチキュラーレンズ５Ｆが貼り付けられる領域に絵柄の重ね部分１１Ｆを有する。パネル１０Ａが絵柄の重ね部分１１Ｆを有することで、レンチキュラーレンズ５Ｆをパネル１０Ａに貼り付ける際にレンチキュラーレンズ５Ｆの位置合わせが容易となる。これに加え、レンチキュラーレンズ５Ｆの貼り付け位置が多少ずれても領域Ｗの白色が表面に露出しないという利点がある。絵柄の重ね部分１１Ｆの幅（図５における長さＬ）は５〜２０ｍｍ（より好ましくは８〜１５ｍｍ）程度であればよい。
【００２０】
図６は、図５に一点鎖線で示した四角１２Ｆの位置（領域１５Ｆ）にレンチキュラーレンズ５Ｆを貼り付けた状態を模式的に示す正面図である。図７は、図６に示すＶＩＩ−ＶＩＩ線における断面図である。これらの図に示すとおり、レンチキュラーレンズ５Ｆを構成する多数の凸部１ａは縦方向（見学者Ｓの移動方向と交差する方向）に延びており且つ横方向（見学者Ｓの移動方向）に互いに平行に並んでいる。図７（ａ）に示すように、平面からなるパネル１０Ａの表面１０ａにレンチキュラーレンズ５Ｆを単に貼り付けてもよいし、パネル１０Ａの表面１０ａとレンチキュラーレンズ５Ｆの表面との段差が気になるような場合は、図７（ｂ）に示すように、パネル１０Ａの表面に凹部１０ｃを設け、この凹部１０ｃにレンチキュラーレンズ５Ｆを貼り付けてもよい。
【００２１】
＜レンチキュラーレンズ付きパネルの製造方法＞
次に、レンチキュラーレンズ付きパネル１０の製造方法について説明する。本実施形態に係る製造方法は以下の工程を備える。
（Ａ）表示すべき絵柄を裏面側に有するレンチキュラーレンズ５Ｒ，５Ｆ，５Ｐ，５Ｄをそれぞれ準備する工程。
（Ｂ）白樺の森の絵柄が印刷されたパネル１０Ａを作製する工程。
（Ｃ）レンチキュラーレンズ５Ｒ，５Ｆ，５Ｐ，５Ｄをパネル１０Ａの表面１０ａに貼り付ける工程。
【００２２】
（（Ａ）工程）
（Ａ）工程はレンチキュラーレンズ５Ｒ，５Ｆ，５Ｐ，５Ｄを準備する工程である。ここでは、レンチキュラーレンズ５Ｆを準備する方法について説明するが、他のレンチキュラーレンズ５Ｒ，５Ｐ，５Ｄもレンチキュラーレンズ５Ｆと同様にして製造すればばよい。
【００２３】
図８はレンチキュラーレンズ５Ｆを製造する過程を模式的に示す断面図である。図８（ａ）は絵柄が印刷されていないレンチキュラーレンズ１を模式的に示す断面図である。レンチキュラーレンズ１は表面に多数の凸部１ａを有する。レンチキュラーレンズ１の裏面１ｂは平面からなる。
【００２４】
レンチキュラーレンズ１が有する凸部１ａの細かさ（ピッチ）は、レンチキュラーレンズ１の幅方向の単位長さ（１インチ）あたりに凸部１ａが何本あるかで表される（単位ＬＰＩ）。レンチキュラーレンズ１の凸部１ａの細かさは、通路２０の幅（パネル１０と見学者Ｓの距離）、換言すれば想定される視点距離に応じて選択すればよい。例えば、通路２０の幅が２〜３ｍの場合、見学者Ｓは主に通路２０の中央を歩くと仮定すると、パネル１０と見学者Ｓの距離（視点距離）はその半分の１〜１．５ｍ程度である。この場合、使用するレンチキュラーレンズ１の細かさ（ピッチ）は、好ましくは３０〜６０ＬＰＩであり、より好ましくは３０〜４０ＬＰＩである。ピッチが３０ＬＰＩ未満であるとキツネの絵柄Ｆが粗くなりやすい。他方、ピッチが６０ＬＰＩを超えるとキツネの絵柄Ｆ全体がパッと現れたり消えたりしにくくなる。例えば、見学者Ｓが移動するにしたがって、キツネの頭部から見え始め、その後、全体が見えるようになった後、頭部から消え始めるように画像が変化する場合がある。
【００２５】
レンチキュラーレンズ１のサイズは、パネル１０Ａよりも小さければ特に制限はなく、変化させるべき絵柄の大きさに応じて設定すればよい。なお、図４に示すように、トナカイの絵柄Ｒ及び鹿の絵柄Ｄはキツネの絵柄Ｆ及びキツツキの絵柄Ｐと比較して大きい。トナカイの絵柄Ｒ又は鹿の絵柄Ｄを一枚でカバーするレンチキュラーレンズを入手することが困難な場合は、複数のレンチキュラーレンズを組み合わせて使用してもよい。
【００２６】
レンチキュラーレンズ１の材質は、パネル１０が設置される場所の条件などに応じて適したものを選択すればよい。レンチキュラーレンズ１の材質としては、アクリル樹脂、ポリエチレンテレフタラート（ＰＥＴ）などの透明樹脂が挙げられる。
【００２７】
図８（ｂ）は、レンチキュラーレンズ１の裏面１ｂ上に、キツネが現れたり消えたりするための印刷層２（絵柄）を形成した状態を模式的に示す断面図である。印刷方式はレンチキュラーレンズ１のサイズ、製造すべきレンチキュラーレンズ５Ｆの枚数及び求められる印刷解像度などに応じて、通常のインクジェット印刷、紫外線硬化型のインクジェット印刷、オフセット印刷などから適宜選択すればよい。これらの印刷方式のうち、レンチキュラーレンズ１の裏面１ｂに絵柄を印刷するにあたり、見当ずれを抑制できる観点から、インクジェット印刷が好ましい。なお、印刷層２はキツネの絵柄Ｆだけでなく、キツネの周りの絵柄（白樺及び草など）も有する（図６参照）。印刷解像度は６００〜２４００ｄｐｉ程度（より好ましくは１２００〜１５００ｄｐｉ程度）であればよい。
【００２８】
図８（ｃ）は、印刷層２上に白色インク層３を形成することによって製造されたレンチキュラーレンズ５Ｆを模式的に示す断面図である。レンチキュラーレンズ５Ｆが印刷層２よりも外側に白色インク層３を有することで、レンチキュラーレンズ５Ｆをパネル１０Ａに貼り付けた後において、レンチキュラーレンズ５Ｆの絵柄の色調と、パネル１０Ａに印刷物に貼り付けられた絵柄の色調と近づけることができる。
【００２９】
（（Ｂ）工程）
（Ｂ）工程は、白樺の森の絵柄が印刷されたパネル１０Ａを作製する工程である。図５に示すように、パネル１０Ａは、レンチキュラーレンズ５Ｆが貼り付けられる領域１５Ｆに絵柄の重ね部分１１Ｆと、白色の領域Ｗとを有する。他のレンチキュラーレンズ５Ｒ，５Ｐ，５Ｄが貼り付けられる領域も同様の構成を有する。
【００３０】
パネル１０Ａの材質は、パネル１０が設置される場所の条件などに応じて適したものを選択すればよい。パネル１０Ａの材質としては、スチレン、塩化ビニルなどの樹脂材料；合成紙などが挙げられる。これらの材料からなるパネルに白樺の森の絵柄を直接印刷してもよいし、これらの材料からなるシートに白樺の森の絵柄を印刷し、それとパネルとを貼り合わせてもよい。なお、伸縮性が小さい点で優れ、且つ透明樹脂で構成されるレンチキュラーレンズ５Ｒ，５Ｆ，５Ｐ，５Ｄとの質感を合せる観点から、樹脂材料（スチレン、塩化ビニルなど）に白樺の森の絵柄を印刷することが好ましい。
【００３１】
パネル１０Ａの高さは、例えば１〜３ｍ程度であってもよく、１．５〜２．８ｍ程度であってもよく、１．８〜２．５ｍ程度であってもよい。パネル１０Ａの幅（通路２０に沿った長さ）は特に制限はなく、例えば２〜１００ｍ程度であってもよく、４〜５０ｍ程度であってもよく、５〜２０ｍ程度であってもよい。複数のパネル（例えば幅１．２ｍ程度のパネル）を組み合わせることによって通路２０に沿って長く延びるパネル１０Ａを構成してもよい。印刷方式はパネル１０Ａのサイズ、製造すべきパネル１０Ａの枚数及び求められる印刷解像度などに応じて、通常のインクジェット印刷、紫外線硬化型のインクジェット印刷、オフセット印刷などから適宜選択すればよい。
【００３２】
（（Ｃ）工程）
（Ｃ）工程は、レンチキュラーレンズ５Ｒ，５Ｆ，５Ｐ，５Ｄをパネル１０Ａの表面１０ａに貼り付ける工程である。レンチキュラーレンズ５Ｒ，５Ｆ，５Ｐ，５Ｄの貼付けには、例えば接着剤を使用すればよい。上述のとおり、パネル１０Ａは絵柄の重ね部分（図５の重ね部分１１Ｆ参照）を有するため、レンチキュラーレンズ５Ｒ，５Ｆ，５Ｐ，５Ｄをパネル１０Ａにそれぞれ貼り付ける際にレンチキュラーレンズ５Ｒ，５Ｆ，５Ｐ，５Ｄの位置合わせが容易となる。これに加え、レンチキュラーレンズ５Ｒ，５Ｆ，５Ｐ，５Ｄの貼り付け位置が多少ずれても領域Ｗの白色が表面に露出しないという利点がある。
【００３３】
上記実施形態に係るレンチキュラーレンズ付きパネル１０によれば、見学者Ｓが通路２０を進むにつれてキツネの絵柄Ｆなどの動物の絵柄がパッと現れたり消えたりするという効果を演出することができる。一方、背景（白樺の森の景色）にはレンチキュラーレンズが配置されていないため、見学者Ｓにとって背景がくっきりと見えるという利点がある。なお、仮にパネル表面の全体をレンチキュラーレンズで覆った場合、通路２０上の見学者Ｓから見て全体がぼやけた印象になると推察される。
【００３４】
パネル１０は、図４に示すように、通路２０に沿って互いに間隔をあけて配置された複数のレンチキュラーレンズ５Ｒ，５Ｆ，５Ｐ，５Ｄを有する。レンチキュラーレンズの特性上、例えば、見学者Ｓが図２（ａ）の位置よりも離れた位置からキツネの絵柄Ｆの方向を見た場合、キツネの絵柄Ｆが見えてしまうことがある。すなわち、見学者Ｓがキツネの絵柄Ｆのみに着目して通路２０を歩いてくると、キツネが見える状態からキツネが消え（図２（ａ））、キツネが再び現れる（図２（ｂ））。しかし、見学者Ｓが図２（ａ）の位置よりも離れた位置にいる場合、見学者Ｓはトナカイの絵柄Ｒに着目しているため、キツネの絵柄Ｆが見えることに気付きにくい。複数のレンチキュラーレンズ５Ｒ，５Ｆ，５Ｐ，５Ｄを通路２０に沿って互いに間隔をあけて配置することでこのような効果が奏される。
【００３５】
以上、本発明の実施形態について詳細に説明したが、本発明は上述の実施形態に限定されるものではない。例えば、上記実施形態においては、白樺の森の絵柄を背景に動物の絵柄が現れたり消えたりする展示通路５０を例示したが、レンチキュラーレンズの効果によって絵柄が動いたり、色が変化したりする演出をしてもよい。例えば、本発明のレンチキュラーレンズ付き印刷物を動物園の通路に配置し、見学者が通路を進むとキリンの首が上下に動くといった展示をしてもよい。レンチキュラーレンズで表示する絵柄は動物に限定されず、例えば、本発明をお化け屋敷の通路に適用してもよい。また、レンチキュラーレンズで立体画像を表示してもよい。
【００３６】
上記実施形態においては、通路２０の側面をパネル１０で構成する場合を例示したが、例えば、トンネルの内面を本発明のレンチキュラーレンズ付き印刷物で構成し、このトンネル内を人が通れるようにしてもよい。また、レンチキュラーレンズ付き印刷物の裏面側に明かり（例えばＬＥＤバックライト）を配置し、印刷物が光ったり点滅したりするなどの演出をしてもよい。
【００３７】
上記実施形態においては、パネル１０Ａに絵柄の重ね部分１１Ｆを設ける場合を例示したが（図５参照）、絵柄の重ね部分１１Ｆの代わりに又はこの重ね部分１１Ｆとともに見当合わせのためのトンボをパネル１０Ａに設けてもよい。
【００３８】
上記実施形態においては、パネル（レンチキュラーレンズ付き印刷物）１０に沿って延びる通路２０を見学者Ｓが歩くように構成された展示通路５０を例示したが、レンチキュラーレンズ付き印刷物を広告媒体として利用してもよい。この場合、レンチキュラーレンズ付き印刷物からなる広告を例えば歩道に沿って配置すればよい。
【符号の説明】
【００３９】
１…レンチキュラーレンズ、１ａ…凸部、１ｂ…裏面、２…印刷層、３…白色インク層、５Ｒ，５Ｆ，５Ｐ，５Ｄ…絵柄付きレンチキュラーレンズ、１０…パネル（レンチキュラーレンズ付き印刷物）、１０Ａ…パネル（印刷物）、１０ａ…表面、１０ｃ…凹部、１１Ｆ…絵柄の重ね部分、１２Ｆ…四角、１５Ｆ…レンチキュラーレンズが貼り付けられる領域、２０…通路、５０…展示通路、Ｄ…鹿の絵柄（表示すべき絵柄）、Ｆ…キツネの絵柄（表示すべき絵柄）、Ｐ…キツツキの絵柄（表示すべき絵柄）、Ｒ…トナカイの絵柄（表示すべき絵柄）、Ｓ…見学者、Ｗ…白色の領域。
【図１】
2016126059.tif 000003
【図２】
2016126059.tif 000004
【図３】
2016126059.tif 000005
【図４】
2016126059.tif 000006
【図５】
2016126059.tif 000007
【図６】
2016126059.tif 000008
【図７】
2016126059.tif 000009
【図８】
2016126059.tif 000010